(57)【特許請求の範囲】
【請求項１】
円形天面壁を有し、該天面壁には開口が形成されている蓋本体と、該天面壁の外面に接合され該開口を塞ぐシール片とから構成され、該シール片にストローを挿通せしめることができる容器蓋において、
該天面壁には沈降部が形成されており、該開口は該沈降部に形成されており、該沈降部の外面には該開口の周囲を延びる環状突条が形成されており、該環状突状の内周縁は該開口の周縁に近接又は合致し、該シール片は該環状突条の上面に接合されていて、該シール片の外面は該天面壁の非沈降主部の外面よりも下方に位置せしめられており、該シール片はアルミニウム箔と合成樹脂フィルムとの積層体或いはガスバリヤ性に優れた合成樹脂フィルムの単層又は積層体から形成されている、ことを特徴とする容器蓋。
【請求項２】
該シール片の外面は該天面壁の該非沈降主部の外面よりも１．０ｍｍ以上下方に位置せしめられている、請求項１記載の容器蓋。
【発明の詳細な説明】
【０００１】
【発明の属する技術分野】
本発明は、容器蓋、更に詳しくは、容器の口頸部から容器蓋を離脱することなく容器蓋の天面壁にストローを挿通せしめ、ストローを通して容器内の飲料を吸引することができる容器蓋に関する。
【０００２】
【従来の技術】
飲料を収容した容器に適用される容器蓋として、実公平４−４９１０３号公報には、天面壁にストローを挿通せしめ、ストローを通して容器内の飲料を吸引することができる容器蓋が開示されている。かかる容器蓋は円形天面壁を有し、天面壁には開口が形成されている蓋本体と、天面壁の外面に接合され開口を塞ぐシール片とから構成され、シール片にストローを挿通せしめることができる。
【０００３】
【発明が解決しようとする課題】
而して、上述したとおりの従来の容器蓋には次のとおりの解決するべき問題が存在する。天面壁に異物が衝突又は接触した際に、天面壁と天面壁に接合されたシール片が実質上同一平面内にあることに起因して、シール片或いはシール片と天面壁との接合部が破損され容器蓋の密封性が毀損される虞がある。
【０００４】
本発明は上記事実に鑑みてなされたものであり、その主たる技術的課題は、天面壁に改良を加えて、天面壁に異物が衝突又は接触した際に、シール片或いはシール片と天面壁との接合部が破損され容器蓋の密封性が毀損されることを確実に回避することである。
【０００５】
【課題を解決するための手段】
本発明によれば、円形天面壁を有し、該天面壁には開口が形成されている蓋本体と、該天面壁の外面に接合され該開口を塞ぐシール片とから構成され、該シール片にストローを挿通せしめることができる容器蓋において、
該天面壁には沈降部が形成されており、該開口は該沈降部に形成されており、該沈降部の外面には該開口の周囲を延びる環状突条が形成されており、該環状突状の内周縁は該開口の周縁に近接又は合致し、該シール片は該環状突条の上面に接合されていて、該シール片の外面は該天面壁の非沈降主部の外面よりも下方に位置せしめられており、該シール片はアルミニウム箔と合成樹脂フィルムとの積層体或いはガスバリヤ性に優れた合成樹脂フィルムの単層又は積層体から形成されている、ことを特徴とする容器蓋が提供される。
【０００６】
好適実施形態においては、該シール片の外面は該天面壁の該非沈降主部の外面よりも１．０ｍｍ以上下方に位置せしめられている。
【０００７】
【発明の実施の形態】
以下、添付図面を参照して、本発明に従って構成された容器蓋の好適実施形態について、更に詳細に説明する。
【０００８】
図１を参照して説明すると、本発明に従って構成された全体を番号２で示す容器蓋は、本体４及びシール片６から構成されている。例えばポリエチレン或いはポリプロピレンの如き適宜の合成樹脂から一体に成形することができる本体４は、円形天面壁８、この天面壁８の周縁から垂下するスカート壁１０を有している。スカート壁１０には周方向に延びる破断可能ライン１２が形成されており、スカート壁１０は破断可能ライン１２よりも上方の主部１４と破断可能ライン１２よりも下方のタンパーエビデント裾部１６とに区画されている。スカート壁１０の内周面には下方を向いた環状肩面１８が形成されており、そしてかかる環状肩面１８から下方に延びる突条２０が周方向に適宜の間隔をおいて複数個形成されている。上記破断可能ライン１２は、突条２０の軸線方向中間部において、スカート壁１０の外周面から切断刀（図示していない）を作用せしめ、突条２０の少なくとも一部を残留せしめてスカート壁１０を切断することによって形成される。突条２０の各々の切断されることなく残留せしめられた部分が所謂橋絡部を構成し、タンパーエビデント裾部１６は橋絡部を介してスカート壁１０の主部１４に接続されている。
【０００９】
スカート壁１０の主部１４の外周面には、その下端部近傍に、下方に向かって外径が漸次増大する円錐台形状部２２が形成されている。タンパーエビデント裾部１６の外周面も、下方に向かって外径が漸次増大する円錐台形状にせしめられている。主部１４の外周面における円錐台形状部２２の上方に位置する部分には、そこに掛けられる指の滑りを防止するための凹凸形状２４が形成されている。スカート壁１０の主部１４の内周面には雌螺条２６が形成されている。かかる雌螺条２６には、周方向に適宜の間隔をおいて軸線方向に延びる切欠２８が形成されている。かかる切欠２８は容器の口頸部が開封される際の所謂通気路を構成する。
【００１０】
タンパーエビデント裾部１６の内周面には係止手段３０が形成されている。図示の実施形態における係止手段３０は、周方向に間隔をおいて配設され半径方向内方に向かって上方に傾斜して延びる複数個の突出片３２（図示の場合８個）から構成されている。所望ならば、突出片３２に代えて、例えば弧状突状或いはラチェット爪（ラチェット爪の場合には、後述する容器の口頸部における被係止手段は環状あご部ではなく対応するラチェット爪から構成される）等の他の適宜の形態の突条或いは突起等から係止手段を構成することもできる。
【００１１】
天面壁８の内面の外周縁部には、内側円筒状シール片３４、外側円筒状シール片３６及び環状当接片３８が形成されている。内側円筒状シール片３４は天面壁８の内面から下方に向かって半径方向外方に傾斜して延出している。外側円筒状シール片３６は内側円筒状シール片３４から半径方向外方に所定距離離間せしめて配置されており、天面壁８の内面から実質上鉛直に下方に延出せしめられている。当接片３８は、半径方向に見て内側円筒状シール片３４の直ぐ外側に位置せしめられており、天面壁８の内面から下方に向かって凸状に膨出せしめられている膨出部から形成されている。
【００１２】
図１と共に図２を参照して説明を続けると、天面壁８はその中央部に形成されている円形沈降部４０、環状非沈降主部４２、及び沈降部４０と非沈降主部４２との間に配設せしめられている円筒状部４４から構成されている。沈降部４０の中央部には、後に詳述する如くして、ストローを天面壁８に挿通せしめるために、円形開口４６が形成されている。開口４６は、使用されるストローの直径より若干大きな直径を有する。ストロー自体はその先端縁が２０乃至６０度程度でよい角度αで傾斜せしめられているのが好都合である（図３を参照されたい）。また、図示の実施形態においては、沈降部４０の外面中央部には、開口４６の周囲を延びる環状突条４８が開口４６の周縁と近接せしめて形成されている。所望ならば突条４８の内周縁は開口４６の周縁と実質上同一にせしめることもできる。
【００１３】
図示の実施形態においては、沈降部４０の外面に形成されている上記突条４８の上面に円形シール片６が熱接着の如き適宜の接着様式によって充分強固に接合されている。かかるシール片６の外面は天面壁８の非沈降主部４２の外面よりも下方に位置する。好ましくは、シール片６の外面は天面壁８の非沈降主部４２の外面よりも１．０ｍｍ以上下方に位置せしめられている。シール片６は、アルミニウム箔と適宜の合成樹脂フィルムとの積層体、或いは所謂ガスバリヤ性に優れた合成樹脂フィルムの単層又は積層体から形成されている。突条４８の上面にシール片６を接合した後においても、開口４６の位置を充分容易に視認できるようになすために、突条４８の例えば内周縁に沿って延びる小突条を形成し、かかる小突条に対応してシール片６の上面に環状斑が生成されるようになすこともできる。更に、所望ならば、シール片６の接合強度を増大せしめるために、開口４６に跨って延在する合成樹脂フィルムを沈降部４０の内面に接合し、開口４６の領域においてシール片６を合成樹脂フィルムに接合せしめることもできる。
【００１４】
図３には、容器蓋２が適用される容器５０の一部も図示されている。かかる容器５０は、ポリエチレンテレフタレートの如き適宜の合成樹脂或いはガラスから形成することができ、全体として略円筒形状の口頸部５２を有する。口頸部５２の外周面には、雄螺条５４及び雄螺条５４の下方に位置する環状係止あご部５６が形成されている。容器５０の口頸部５２に容器蓋２を装着する際には、口頸部５２に容器蓋２を被嵌して閉方向、即ち図３において、上方から見て時計方向に所要トルクで容器蓋２を回転せしめる。かくすると、容器蓋２は容器５０の口頸部５２に沿って下降せしめられ、タンパーエビデント裾部１６の内周面に形成されている係止手段３０は半径方向外方に弾性的に変形して口頸部５２に形成されている係止あご部５６を通過し、次いで弾性的に復元して係止あご部５６に係止せしめられる。一方、容器蓋２の内側円筒状シール片３４は口頸部５２の上端部の内周面に密接せしめられて半径方向内方に幾分撓まされ、容器蓋２の外側円筒状シール片３６は口頸部５２の上端部の外周面に密接せしめられて半径方向外方に幾分撓まされ、また容器蓋２の環状当接片３８は、口頸部５２の上端部の環状頂面に当接せしめられて幾分圧縮され、これによって口頸部５２が密封される。
【００１５】
図３を参照して説明を続けると、例えば乳飲料である容器５０の内容物をストローを通して飲む際には、ストローの先端を、シール片６の上面であって開口４６が位置する部位に当接せしめる。（突条４８は開口４６の周縁に近接して形成せしめられていると共に、シール片６は突条４８に接合せしめられている故に、シール片６を図３において上方から見ると、シール片６と突条４８とが接合されている部分が視認することができ、ストローの先端を、シール片６の上面であって開口４６が位置する部位に位置せしめることができる。）次いで、ストローを下方に変位せしめると、シール片６はストローの最先端が作用する部位から破断が漸時進行し、シール片６は弧状に破断される。弧状に破断されたシール片６は破断されることなく維持されている部分を所謂ヒンジとして内側、即ち図３において下方に傾動せしめられる。ストローはシール片６を貫通して開口４６を通して容器５０内に進入せしめられる。そして、ストローを銜えて吸引することによって内容物を飲むことができる。
【００１６】
本発明に従って構成された容器蓋２は、容器蓋２の天面壁８のシール片６をストローによって挿通せしめて内容物を飲むことができるものであるが、シール片６をストローによって挿通せしめることなく容器５０の口頸部５２を密封する容器蓋２を口頸部５２から開封して通常同様に内容物を飲むことも可能である。この場合には、容器蓋２を開方向、即ち図３において上方から見て反時計方向に回転せしめる。かくすると、タンパーエビデント裾部１６は、その内周面に形成されている係止手段３０が口頸部５２の外周面に形成されている係止あご部５６の下面に係止せしめられている故に、上昇が阻止されるが、容器蓋２のその他の部分は回転によって雄螺条５４と雌螺条２６との螺合が解除されるのに応じて上昇せしめられる。従って、スカート壁１０に形成されている破断可能ライン１２、更に詳しくはその橋絡部に相当な応力が生成されて橋絡部が破断され、タンパーエビデント裾部１６がスカート壁１０の主部１４から分離される。次いで、容器蓋２の、タンパーエビデント裾部１６以外の部分は回転と共に上方に自由に移動せしめられ、口頸部５２から離脱せしめられる。かくして、容器５０の口頸部５２が開封され、容器５０内の内容物を消費することが可能になる。
【００１７】
図示の実施形態においては、容器５０の口頸部５２を開封する際には、蓋２のスカート壁１０に形成されている破断可能ライン１２におけるすべての橋絡部が破断され、タンパーエビデント裾部１６がスカート壁１０の主部１４から完全に分離され、タンパーエビデント裾部１６は口頸部５２から離脱されることなく口頸部５２に残留せしめられる。所望ならば破断ライン１２における橋絡部の内の少なくとも１個を破断させることなく維持される強橋絡部にせしめると共に、タンパーエビデント裾部１６に軸線方向に延びる破断可能ライン（図示していない）を形成し、口頸部５２を開封する際には軸線方向に延びる破断可能ライン１２が破断されてタンパーエビデント裾部１６が無端環状から有端環状に展開され、破断されることなく維持されている強橋絡部を介してスカート壁１０の主部１４に接続され続けるタンパーエビデント裾部１６も口頸部５２から離脱されるようになすこともできる。
【００１８】
【発明の効果】
天面壁に異物が衝突又は接触した際に、シール片或いはシール片と天面壁との接合部が破損され容器蓋の密封性が毀損されることを確実に回避することができる。
【図面の簡単な説明】
【図１】本発明に従って構成された容器蓋の好適実施形態を、一部を断面で示す正面図。
【図２】図１に示す容器蓋の平面図。
【図３】図１に示す容器蓋の天面壁にストローを挿通せしめた状態を示す、線Ａ−Ａにおける断面図。
【符号の説明】
２：容器蓋
４：本体
６：シール片
８：天面壁
４０：沈降部
４２：非沈降主部
４６：開口
４８：突条
【図１】
0004629887.tif 000002
【図２】
0004629887.tif 000003
【図３】
0004629887.tif 000004